(57)【要約】【課題】所望の印刷媒体で印刷するために複数の印刷条件を入力する必要がある。  【解決手段】上位装置は接続された印刷装置から印刷可能な複数の媒体情報を取得し、ユーザが入力した印刷条件を分類する情報により前記媒体情報を分類して一覧表示し、一覧表示した媒体情報をユーザが選択することで該当する媒体の媒体情報を用いて印刷条件を設定する。【選択図】      図２
2006301118.tif 000002
【特許請求の範囲】
【請求項１】
上位装置で生成した画像データを印刷装置に送信して印刷を行わせる印刷システムにおいて、
前記上位装置は、
画像記録装置から画像記録装置の状態を示す状態情報を取得する状態情報取得部と、
印刷条件を入力する印刷条件入力部と、
前記印刷条件に基づいて画像記録装置の状態情報を編集して表示する抽出表示部と、
前記抽出表示部で表示された印刷情報を選択する選択部と、
前記選択部で選択された情報から制御コマンドを生成し、画像データともに画像記録装置に送信する制御部とを備え、
前記画像記録装置は、
画像記録装置の状態情報を格納する状態情報格納部と、
前記状態情報格納部に格納されている画像記録装置の状態情報を前記上位装置の指示に基づいて該上位装置へ送信する送信部と、
前記上位装置から送信された制御コマンドおよび画像データに従って印刷を行う印刷制御部とを備えたことを特徴とする画像記録システム。
【請求項２】
前記状態情報取得部は、複数の印刷装置に装填されている媒体情報を取得する媒体情報取得部を持ち、
前記印刷条件入力部は、媒体条件を入力する媒体条件入力部を持つ事を特徴とする請求項１記載の画像記録システム。
【請求項３】
前記画像形成装置は、画像記録装置に搭載される媒体情報を入力する媒体情報入力部と、
前記媒体情報入力部で入力した前記媒体情報を記憶し、前記状態情報取得部の要求により記憶した前記媒体情報を出力する媒体情報記憶部を持つことを特徴とする請求項１記載の画像記録システム。
【請求項４】
前記画像形成装置は、複数の種類の媒体を供給可能な媒体供給手段と、前記供給可能な各媒体の媒体情報を格納し前記状態取得部の要求により記憶した該媒体情報を出力する媒体情報格納部を持つことを特徴とする請求項１記載の画像記録システム。
【請求項５】
画像データを画像記録部で印刷する印刷装置において、
画像記録部の状態情報を格納する状態情報格納部と、
画像記録部から画像記録部の状態を示す状態情報を取得する状態情報取得部と、
印刷条件を入力する印刷条件入力部と、
前記印刷条件に基づいて画像記録部の状態情報を編集して表示する抽出表示部と、
前記抽出表示部で表示された印刷情報を選択する選択部と、
前記選択部で選択された情報から制御コマンドを生成し、画像データともに画像記録部に送信する制御部とを備えたことを特徴とする画像記録装置。
【請求項６】
複数の種類の媒体を供給可能な媒体供給手段と、前記供給可能な各媒体の媒体情報を格納し前記状態取得部の要求により記憶した該媒体情報を出力する媒体情報格納部を持つことを特徴とする請求項５記載の画像記録装置。
【発明の詳細な説明】
【技術分野】
【０００１】
本発明は複数種類の印刷媒体に印刷が可能な印刷装置、ファクシミリ、ＭＦＰ等の画像記録装置及び画像記録システムに関するものである。
【背景技術】
【０００２】
異なるサイズの媒体を各々積載する複数の媒体カセットが搭載可能な印刷装置がある。ユーザは印刷を行う場合、自分が印刷したいサイズの媒体が積載された媒体カセットを上位装置より指定し、印刷装置に印刷データを送信して印刷を行う。
【特許文献１】特開平１１−１２３８５８号公報
【発明の開示】
【発明が解決しようとする課題】
【０００３】
しかしながら、ユーザは媒体カセットを指定して印刷を行わせるため、ユーザは自分が印刷したい媒体種類（サイズ、厚さ等）がどの媒体カセットに積載されているか予め知っておく必要があった。
【課題を解決するための手段】
【０００４】
上位装置で生成した画像データを画像記録装置に送信して印刷を行わせる印刷システムにおいて、上位装置は、画像記録装置から画像記録装置の状態を示す画像記録装置の状態情報を取得する状態情報取得部と、印刷条件を入力する印刷条件入力部と、印刷条件に基づいて画像記録装置情報を編集して表示する抽出表示部と、抽出表示部で表示された印刷情報を選択する選択部と、選択部で選択された情報から制御コマンドを生成し、画像データともに画像記録装置に送信する制御部とを備え、画像記録装置は、画像記録装置の状態情報を格納する状態情報格納部と、状態情報格納部に格納されている画像記録装置の状態情報を上位装置の指示に基づいて上位装置へ送信する送信部と、上位装置から送信された制御コマンドおよび画像データに従って印刷を行う印刷制御部とを備えたことを特徴とする。
【発明の効果】
【０００５】
印刷装置から取得した印刷装置の媒体カセット情報を、入力した印刷条件に従って媒体カセット情報を編集して表示し、表示内容から自分が印刷した媒体を指定することにより、ネットワークに接続されている複数の印刷装置および複数の媒体カセットの中から容易に選択することができ、希望する媒体に印刷を行うことができる。そのため、どの印刷装置の媒体カセットにそのような種類の媒体が積載されているかを予め知る必要がない。
【発明を実施するための最良の形態】
【０００６】
以下、本発明の実施形態について図面を参照しながら詳細に説明する。尚、この場合、画像記録装置としては複数のプロセスカートリッジを備え、複数の媒体カセットが搭載可能な印刷装置（カラー電子写真印刷装置）について説明する。
【実施例１】
【０００７】
図１は本発明の第１の実施形態における印刷装置の制御ブロック図であり、図２は本発明の第１の実施の形態における上位装置の制御ブロック図であり、図３は本発明の第１の実施の形態における画像記録システムの概略構成図であり、図４は本発明の第１の実施の形態における印刷装置の概略図であり、図５は本発明の第１の実施の形態におけるプロセスユニットの概略図である。
【０００８】
まず、画像記録システムの概略構成について説明する。
図３において、図示の画像記録システムは印刷装置１０、印刷装置１１、印刷装置１２、上位装置２０、プリントサーバ４０がネットワーク５０を介して接続されている。上位装置２０はパーソナルコンピュータ等からなり、印刷データおよびコマンドをネットーワーク５０を介してプリントサーバ４０に送信し、プリントサーバ４０から印刷装置１０〜印刷装置１２に印刷データを送信して印刷を行わせることができる。本発明においてはネットワーク５０に接続されている印刷装置は３台として説明するが、印刷装置は１台若しくは数台接続されていても問題はない。
【０００９】
次に、本発明が適用される印刷装置の概略構成について図４を用いて説明する。
尚、説明を簡単にするために以下の説明では印刷装置１０について説明するが、印刷装置１１、印刷装置１２については同じ構成であっても良いし、異なる構成であってもかまわない。以下に説明する構成を備えていれば問題ない。
【００１０】
図４において、２００Ａは装置本体に向けられた媒体カセットであり、２００Ｂ、２００Ｃ、２００Ｄ、２００Ｅは装置本体に対して増設される媒体カセットである。媒体カセット２００Ａ〜２００Ｅは同じ構成を有するので代表して媒体カセット２００Ａについて説明する。媒体カセット２００Ａは媒体収容部２１０Ａ、ホッピング機構２２０Ａからなる。媒体収容部２１０Ａは押上板２１１Ａ及び押圧手段２１２Ａからなる。ホッピング機構２２０Ａは弁別手段２２１Ａ、ホッピングローラ２２２Ａと第１のレジストローラ２２３Ａからなる。
【００１１】
この場合、媒体収容カセット２１０Ａに収納された記録媒体１は、押圧手段２１２Ａによって押上板２１１Ａを介してホッピングローラ２２２Ａに圧接させられ、ホッピングローラ２２２Ａに圧接された弁別手段２２１Ａにより１枚ずつ弁別される。この状態で図示しないモータによってホッピングローラ２２２Ａを矢印ａ方向に回転させると、ホッピングローラ２２２Ａと弁別手段２２１Ａとの間に挟まれた記録媒体１は、シートガイドＢによって案内されて、第１のレジストローラ対２２３Ａに送られる。第１のレジストローラ対２２３Ａによって記録媒体１のスキュー補正が行われ、その後、第１のレジストローラ対２２３Ａによって印刷装置１０内に搬送される。
【００１２】
４５０Ａは記録媒体１の前端を検出するセンサである。また、記録媒体１の搬送方向には第２のレジストローラ対４１０が設けられており、プロセスユニットに印刷媒体１を搬送する。４５０Ｂは印刷媒体１の前端を検出し、印刷タイミングを印刷制御部１００に通知する書き込みセンサであり、印刷制御部１００は書き込みセンサ４５０Ｂの信号により印刷タイミングを決定する。
４３０はレジストローラ対４１０により搬送される印刷媒体１をさらに搬送するための搬送ユニットである。搬送ユニット４３０は印刷媒体１をプロセスユニットにさらに搬送する。
【００１３】
３００Ｋ、３００Ｙ、３００Ｍ、３００Ｃはプロセスユニットであり、３１０Ｋ、３１０Ｙ、３１０Ｍ、３１０Ｃは転写ローラである。プロセスユニット３００Ｋは黒のトナー画像を形成し、転写ローラ３１０Ｋにより搬送された印刷媒体１にトナー画像を転写する。プロセスユニット３００Ｙはイエローのトナー画像を形成し、転写ローラ３１０Ｙにより搬送された印刷媒体１にトナー画像を転写する。プロセスユニット３００Ｍはマゼンタのトナー画像を形成し、転写ローラ３１０Ｍにより搬送された印刷媒体１にトナー画像を転写する。プロセスユニット３００Ｃはシアンのトナー画像を形成し、転写ローラ３１０Ｃにより搬送された印刷媒体１にトナー画像を転写する。
【００１４】
４２０は定着ユニットであり、記録媒体１の搬送方向におけるプロセスユニット３００Ｃの印刷媒体１の搬送方向下流側に配設される。定着ユニット４２０は搬送された記録媒体１に転写されたトナー像を定着するものである。定着ユニット４２０は記録媒体１上のトナーを加熱する加熱ローラと、加熱ローラに接触させて配設され加熱ローラを加圧する加圧ローラを有する。また、加熱ローラ及び加圧ローラは、駆動部からの駆動信号によって、回転可能に支持されている。
【００１５】
加熱ローラは、アルミニウム等から成る中空円筒状の心金の上に、シリコーンゴム系等の耐熱弾性層を被覆し、耐熱弾性層の上にフッ素樹脂系（ＰＴＦＥ、ＰＦＡ、ＦＥＰ、ＥＴＦＥ、ＣＴＦＥ、ＰＶＤＦ等）の離型層を被覆することによって形成される。なお、加熱ローラの心金内にはハロゲンランプ等の加熱体としての加熱ヒータが配設される。また、加圧ローラは、アルミニウム、ステンレス等から成る心金の上に耐熱性のプラスチック製の耐熱非弾性層を被覆し、耐熱非弾性層の上にフッ素樹脂系（ＰＴＦＥ、ＰＦＡ、ＦＥＰ、ＥＴＦＥ、ＣＴＦＥ、ＰＶＤＦ等）の離型層を被覆することによって形成される。このように、加熱ローラに耐熱弾性層を、加圧ローラに耐熱非弾性層をそれぞれ形成することによって、加熱ローラと加圧ローラとの間に圧接部（ニップ部）が形成される。
【００１６】
そして、加熱ローラの外周面には、加熱ローラの表面温度を検出するために温度検出手段としてのサーミスタ４２１が接触または非接触で配設され、サーミスタ４２１によって検出された加熱ローラの表面温度に基づいて加熱ローラ内に備えられた図示せぬ加熱ヒータを選択的に通電し、加熱ローラの表面温度を制御して所定の値に維持する。
本発明では加熱ローラと加圧ローラによる定着方式を示したが、ベルト定着方式のものであってもかまわない。
【００１７】
そして、記録媒体１の搬送方向における定着ユニット４２０より下流側には、定着された記録媒体１を排出側へ搬送する媒体ルートＧが形成されている。媒体搬送ルートＧの出口側には媒体搬送ローラ対４４０が備えられている。媒体搬送ローラ対４４０は図示せぬモータにより回転され、定着された記録媒体を排出部４６０に搬送する。
【００１８】
次に、プロセスユニット３００について詳細を説明する。プロセスユニット３００Ｋ、３００Ｙ、３００Ｍ、３００Ｃは同じであり、ここではプロセスユニット３００Ｋを代表して説明する。
図５はプロセスユニットの概略構成を示す図である。
図５において、３６０Ｋは印刷データに従って静電潜像を形成するための像担持体としての感光体ドラムであり、３４０Ｋは感光体ドラム３６０Ｋの表面を帯電させるための帯電ローラであり、３３０Ｋは画像データに基づいて感光体ドラム３６０Ｋの表面を露光して静電潜像を形成するためのＬＥＤヘッドであり、３２０Ｋは感光体ドラム３６０Ｋ上に形成された静電潜像にトナーを付着させてトナー像を形成するＫ現像部である。３５０Ｋは感光体ドラム３６０Ｋ上に残ったトナーを掻き取るためのクリーニング部である。プロセスユニット３００Ｋは、帯電ローラ３４０Ｋ、Ｋ−ＬＥＤヘッド３３０Ｋ、Ｋ現像部３２０Ｋ、クリーニング部３５０Ｋにより形成されている。
【００１９】
そして、現像部３２０Ｋで形成されたトナー像は転写ローラ３１０Ｋにより、記録媒体１に転写される。
なお、各プロセスユニット３００の各要素は図示せぬ装置本体の枠体によって支持される。
又、現像部３２０Ｋは、現像ローラ３２２Ｋ、現像ブレード３２１Ｋ、スポンジローラ３２３Ｋ、トナーカートリッジ３２４Ｋを備える。
【００２０】
現像部３２０Ｋにおいて、トナーカートリッジ３２４Ｋから供給された非磁性一成分の図示しないトナーは、現像部３２０Ｋ内の図示せぬ攪拌部材によって攪拌されて、スポンジローラ３２３Ｋを介して現像ローラ３２２Ｋに送られ、現像ローラ３２２Ｋの表面において現像ブレード３２１Ｋによって薄層化され、感光体ドラム３６０Ｋと現像ローラ３２２Ｋとの間の接触面に送られる。そして、トナーは薄層化されるときに現像ローラ３２２ｋ及び現像ブレード３２１Ｋによって強く擦（こす）られて帯電させられる。又、トナーはスポンジローラ３２３Ｋと現像ローラ３２２Ｋの接触部においても帯電させられる。なお、本実施の形態において、トナーは負の極性に帯電させられる。
本実施の形態において、現像ローラ３２２Ｋは半導電性のゴム材から成り、トナーカートリッジ３２４Ｋはトナーが無くなると交換可能に形成されている。
【００２１】
次に、本発明が適用される印刷装置の制御ブロック図について図１を用いて説明する。尚、説明を簡単にするために以下の説明では印刷装置１０について説明するが印刷装置１１、印刷装置１２も同様な構成を備えているものとする。
【００２２】
図１において、１００はマイクロプロセッサ、ＲＯＭ、ＲＡＭ、入出力ポート、タイマ等によって構成される印刷制御部であり、上位装置２０から印刷データ及び制御コマンドを受信して印刷装置部の全体をシーケンス制御し、印刷動作を行う。
１１０は、上位装置２０へカセット情報、印刷装置の状態等の印刷装置状態情報を送信すると共に、上位装置２０から入力したコマンドを解析し、上位装置２０から受信したデータを処理するI/F制御部である。
１２０は、上位装置２０から受信したデータをI/F制御部１１０の制御に基づいて色毎に格納する受信メモリである。
１０１は印刷装置の状態を表示するためのＬＥＤ及びＬＣＤを備え、又、印刷装置へ操作者からの指示を与えるためのスイッチを備えた操作部である。
１０２は印刷媒体の搬送位置を検出する複数のセンサ、装置内の温湿度を検出するためのセンサ、書き込みセンサ、媒体検出センサ、濃度測定用のセンサであり、各センサの出力は印刷制御部１００へ入力されている。
【００２３】
１３０は、Ｉ／Ｆ制御部１１０を介して上位装置２０から入力した印刷データを画データとして編集するための画データ編集メモリである。画データ編集メモリ１３０は受信メモリ１２０に一時的に格納された印刷データを受け取り印刷ヘッドへ送信するために編集処理されたイメージデータを格納するためのメモリである。
【００２４】
１４０は帯電電圧制御部であり、印刷制御部１００の指示により帯電器３４０に電圧を印加して像担持体としての感光ドラムの表面を帯電させるための制御を行う。帯電電圧制御部１４０は、各々色毎に制御が分かれており、Ｋ帯電電圧制御部、Ｙ帯電電圧制御部、Ｍ帯電電圧制御部、及びＣ帯電電圧制御部を有しており、それぞれ、Ｋ帯電器、Ｙ帯電器、Ｍ帯電器、及びＣ帯電器への印加電圧を制御している。
【００２５】
１５０はヘッド駆動制御部であり、画データ編集メモリ１３０に格納されたイメージデータに従って印刷ヘッド３３０により帯電された感光ドラム表面に光を照射して露光させるための制御を行うものである。ヘッド制御部１５０は、各々色毎に制御が分かれており、Ｋヘッド制御部、Ｙヘッド制御部、Ｍヘッド制御部、及びＣヘッド制御部を有しており、それぞれ、Ｋ−ＬＥＤヘッド３３０Ｋ、Ｙ−ＬＥＤヘッド、Ｍ−ＬＥＤヘッド、及びＣ−ＬＥＤヘッドへイメージデータを所定のタイミングで送信するための制御を行う。
【００２６】
１６０は感光ドラム表面に印刷ヘッドにより生成された静電潜像にトナーを付着させるための現像電圧制御部であり、現像部３２０に対し電圧を印加するための制御を行う。現像電圧制御部１６０は、Ｋ現像電圧制御部、Ｙ現像電圧制御部、Ｍ現像電圧制御部、及びＣ現像電圧制御部を有しており、各々、Ｋ現像部３２０Ｋ、Ｙ現像部、Ｍ現像部、及びＣ現像部への印加電圧を制御する。そして、各々のＬＥＤヘッド３３０で露光された部分にトナー像を形成する。
【００２７】
１７０は感光ドラムの表面に生成されたトナー像を印刷媒体に転写するための転写電圧制御部であり、印刷制御部の指示を受けて転写ローラ３１０に対し電圧を印加するための制御を行う。転写電圧制御部１７０は、Ｋ転写電圧制御部、Ｙ転写電圧制御部、Ｍ転写電圧制御部、及びＣ転写電圧制御部を有しており、各々、Ｋ転写ローラ３１０Ｋ、Ｙ転写ローラ３１０Ｙ、Ｍ転写ローラ３１０Ｍ、及びＣ転写ローラ３１０Ｃへの印加電圧を制御する。そして、各々の現像部３２０で形成されたトナー像を印刷媒体に順次転写する。
【００２８】
１８０は各感光ドラム、帯電器、現像部を駆動するモータ１８５を構成するＫモータ、Ｙモータ、Ｍモータ、Ｃモータを駆動するためのＫモータ制御部、Ｙモータ制御部、Ｍモータ制御部、Ｃモータ制御部をそれぞれ駆動するモータ制御部である。
【００２９】
１９０は印刷媒体に転写されたトナー像を定着するための定着制御部であり、印刷制御部１００の指示により定着ユニット４２０に内蔵されたヒータへ電圧を印加するための制御を行う。又、定着ユニット４２０の温度を測定するためのサーミスタ４２１からの検出温度を受入、ヒータがオン・オフ制御される。更に、定着ユニット４２０が所定温度に上昇したときに回転駆動させるための定着ユニットモータを制御する。
【００３０】
２３０は印刷媒体１を搬送するための搬送ユニット４３０、搬送ユニット４３０へ印刷媒体１を搬送する第２のレジストローラ対４１０を駆動するレジストモータ、搬送ユニット４３０により搬送された印刷媒体１を更に定着ユニット４２０を通して装置外に設けられた排出部４６０へ印刷媒体１を搬送する媒体搬送ローラ対４４０を駆動するモータである媒体搬送モータ部２３５を制御するための搬送モータ制御部である。
【００３１】
更に搬送モータ制御部２３０は印刷装置１０に備えられた媒体カセットから印刷媒体を一枚づつ繰り出すためのホッピングローラ２２２Ａ、繰り出された印刷媒体１を装置本体に設けられた第２のレジストローラ対４１０まで搬送する第１のレジストローラ対２２３Ａを駆動するためのモータを制御する。ホッピングローラ２２２Ａ、第１のレジストローラ対２２３Ａは各媒体カセットに設けられており、本発明の場合は５台の媒体カセットが装着可能である。搬送モータ制御部２３０は各媒体カセットに対応するモータ、第１カセット搬送モータ２０５、第２カセット搬送モータ２０６、第３カセット搬送モータ２０７、第４カセット搬送モータ２０８、第５カセット搬送モータ２０９を各々制御する。
【００３２】
２４０はカセット選択部であり、上位装置２０から受信された制御コマンドにより指定された媒体カセットを選択し、選択された媒体カセットに対応するカセット搬送モータを駆動するために搬送モータ制御部２３０に信号送信する。
搬送モータ制御部２３０はカセット選択部２４０から指定された媒体カセットに対応するカセット搬送モータを駆動することにより媒体カセット内に積載された印刷媒体１を一枚繰り出し、第１のレジストローラ対２２３Ａまで搬送する。
【００３３】
次に、上記のように構成された印刷装置の概略動作について説明する。印刷制御部１００はＩ／Ｆ制御部１１０を介して上位装置２０から送信された制御コマンド及び印刷データを受信する。上位装置２０によって印刷指示を受けると、まず、定着制御部１９０に指示を出し、ヒータを内蔵した定着ユニット４２０が使用可能な温度範囲にあるかどうかをサーミスタ４２１により検出する。前記温度範囲になければヒータをオンにして、使用可能な温度範囲になるまで定着ユニット４２０を加熱する。定着ユニット４２１が所定温度に上昇したときに、定着制御部１９０は定着ユニットモータ１９５に指示を出し、定着ユニットモータ１９５を駆動して定着ユニット４２０を回転動作させる。
【００３４】
次に、モータ制御部１８０を介して各感光ドラム、帯電器、現像器用モータ１８５を駆動し、同時に帯電電圧制御部１４０、現像電圧制御部１６０、転写電圧制御部１７０に指示を出し各々の色の帯電器３４０、現像器３２０及び転写器３１０に電圧を印加する。また、印刷制御部１００は、上位装置２０から送信された制御コマンドを解析し、何れのカセットが指定されているかを判断する。そして、指定されたカセットにセットされている印刷媒体が、媒体残量センサ及び媒体サイズセンサによって検出される。検出された媒体がある場合にはカセット選択部２４０へ指示を出し、指定されたカセットから媒体の繰り出し及び搬送を行わせる。
【００３５】
搬送モータ制御部２３０はカセット選択部２４０から指定されたカセット搬送モータを駆動し、媒体吸入口センサが記録媒体１を検出するまで設定された量だけ送られる。続いて、媒体吸入口のセンサ４５０Ａで記録媒体１が検出されるとレジストローラにより媒体のスキュー補正を行うために更に所定量媒体を搬送して媒体の搬送を停止する。
その後、搬送モータ制御部２３０は媒体搬送モータ２３５に指示を出し、第１及び第２レジストローラ２２３Ａ，４１０、搬送ユニット４３０、媒体搬送ローラ対４４０を駆動し、記録媒体１を印刷装置の印刷機構内に送り、プロセスユニット３００により印刷された記録媒体１を定着ユニット４２０により定着して更に装置外に設けた排出部４６０まで記録媒体を搬送する。
【００３６】
印刷制御部１００は、記録媒体１が印刷可能な位置に到達した時点において、タイミング信号を送り、画データ編集メモリ１３０からイメージデータを読み出してヘッド駆動制御部１５０に送る。そして、ヘッド駆動制御部１５０は、１ライン分のイメージデータを受けた時点で、露光手段としてのＬＥＤヘッド３３０にラッチ信号を送り、イメージデータをＬＥＤヘッド３３０に保持させる。また、ヘッド駆動制御部１５０は、次のタイミング信号を受ける前に、ＬＥＤヘッド３３０に印刷駆動信号ＳＴＢを送る。その結果、ＬＥＤヘッド３３０は、保持されたイメージデータに従って印刷を行いライン毎に印刷が行われる。
【００３７】
ＬＥＤヘッド３３０は、マイナスの電位に帯電させられた感光体ドラム３６０を照射し、感光体ドラム３６０の表面に、電位の上昇したドットによって静電潜像を形成する。そして、マイナスの電位に帯電させられたトナーが電気的な吸引力によって各ドットに吸引され、トナー像が形成される。その後、トナー像は感光体ドラム３６０と転写ローラ３１０との間隙に形成される転写部に送られる。一方、印刷制御部１００は、転写電圧制御部１７０に指示を出し、転写ローラ３１０をプラスの電位の転写用高圧を印加する。その結果、転写ローラ１０は転写部を通過する印刷媒体にトナー像を転写する。そして、転写されたトナー像を有する印刷媒体は定着ユニット４２０に送られ、トナー像は、定着ユニット４２０の熱によって印刷媒体に定着される。定着されたトナーを有する記録媒体は、更に送られて印刷装置の印刷機構から印刷装置の外部に排出される。印刷が終了し、記録媒体が排出するのに十分な時間が経過すると、帯電ローラ、現像部、転写ローラへの電圧の印加を終了し、同時に各モータの動作を停止させる。以降、前記動作を繰り返す。
以上により印刷動作が行われる。
【００３８】
次に、本発明が適用される上位装置の制御ブロック図について図２を用いて説明する。尚、上位装置の説明においては印刷媒体カセットの指定方法に関連する構成について説明を行い、一般的な画像データの生成及び印刷データの生成については詳細な説明を割愛して説明する。
図２において、上位装置２０は以下に示す構成を備えている。
２１はマイクロプロセッサ、ＲＯＭ、ＲＡＭ、入出力ポート、タイマ等によって構成される制御部であり、印刷データ及び制御コマンドの生成、並びに、印刷装置への印刷データの送信並びに制御コマンドの送信の全体の制御を行う。
２２は画像データ生成部であり、複数のアプリケーションを持ちアプリケーションにより画像データの生成を制御する。
２３は画像データ記憶部であり、画像データ生成部で生成された画像データを記憶するためのメモリ（ＲＡＭ、ハードデイスク等）である。
２４は印刷データ生成部であり、上位装置２０によって印刷を行う印刷装置の印刷装置ドライバ等から構成され、画像データ生成部２２で生成された画像データを印刷装置ドライバを使用して印刷装置固有の印刷データを生成する。
２６はインタフェース制御部であり、上位装置から印刷装置へ印刷データの送信及び制御コマンドの送信を制御すると共に、印刷装置から送信された印刷装置情報の受信を制御する。
【００３９】
３０はカセット情報取得部であり、ネットワーク５０に接続されている印刷装置から印刷装置が備えているカセット情報を取得するための制御を行う。そのために、ネットワークに接続されている印刷装置のＩＰアドレス等が格納されており、制御部２１の指示によりＩＰアドレスに対応する印刷装置からカセット情報を取得するためのカセット情報取得命令を生成し、インターフェース制御部２６を介してネットワーク５０に接続されている印刷装置にカセット情報取得命令を送信する。
【００４０】
３１はカセット情報格納部であり、カセット情報取得部３０によりインターフェース制御部２６を介してネットワーク５０に接続された印刷装置へカセット情報取得命令が送信され、インターフェース制御部２６を介して印刷装置のカセット情報が取得されると、取得されたカセット情報を印刷装置のＩＰアドレスと対応つけて格納するためのメモリである。このメモリは不揮発性メモリ、ハードデイスクから構成され、上位装置２０の電源が切断されても記憶した情報は消えずに保持されるように構成されている。
【００４１】
３２は入力表示部であり、パーソナルコンピュータに接続されているキーボード及びＣＲＴからなり、本発明ではカセットを選択するためのキー入力用としてキーボードが使用され、カセットを選択するためのカセット情報及び選択画面の表示用としてＣＲＴが使用される。
３３は入力表示部３２より入力された選択情報によりカセット情報を抽出する抽出部をもち、選択された内容に基づいて制御部２１を介してカセット情報格納部３１より必要な情報を取り出す。
【００４２】
次に本発明の媒体カセットの指定方法について詳細を説明する。図６は本発明の第１の実施形態の上位装置の制御フロー（その１）を示し、図７は本発明の第１の実施形態の上位装置の制御フロー（その２）を示す。
まず上位装置２０の動作について図６、図７を用いて説明する。
オペレータは印刷を行いたい文章をアプリケーション等を使用して作成するか、又、既に作成された文章を画像データ記憶部２３より読み出し、印刷プロパテイ画面により印刷指示を入力する。
【００４３】
ステップ１０：印刷指示が入力されると制御部２１はカセット情報取得部３０によりカセット情報の取得を行わせる。カセット情報取得部３０はネットワーク５０に接続されている印刷装置のＩＰアドレス毎にカセット情報取得コマンドをインターフェース制御部２６を介して送信するために、印刷装置のＩＰアドレスを取得する。ＩＰアドレスが複数ある場合は複数取得し、一旦内部にあるレジスタに格納しておく。カセット情報取得部３０には予めネットワーク５０に接続されている印刷装置のＩＰアドレスがリストとして格納されている。
【００４４】
ステップ１１：最初に印刷装置１１に対するＩＰアドレスに基づいてカセット情報取得コマンドを印刷装置１０に送信する。
ステップ１２：印刷装置からの応答を判断する。応答があればステップ１３へ進み、応答がなければステップ１４へ進む。
ステップ１３：印刷装置１０からの応答があった場合には印刷装置１０から送信されたカセット情報をカセット情報格納部３１に格納する。格納後、ステップ１６に進む。
ここで、印刷装置から取得されたカセット情報の一例を示す。図４は印刷装置１０、１１、１２のカセット情報の一例である。
【００４５】
図９（ａ）は印刷装置１０のカセット情報である。印刷装置１０は５つの印刷媒体カセットを備えている。カセット情報には媒体の種類、媒体サイズ、媒体厚さ、媒体下地色の情報を持っている。
カセット１には、普通紙、Ａ４サイズ、普通厚、下地白の媒体が積載され、
カセット２には、再生紙、Ａ４サイズ、厚紙、下地白の媒体が積載され、
カセット３には、再生紙、Ａ４サイズ、普通厚、下地黄の媒体が積載され、
カセット４には、普通紙、Ａ３サイズ、普通厚、下地白の媒体が積載され、
カセット５には、再生紙、Ａ５サイズ、普通厚、下地白の媒体が積載されている。
【００４６】
図９（ｂ）は印刷装置１１のカセット情報である。印刷装置１１は５つの印刷媒体カセットを備えている。
カセット１には、普通紙、Ａ４サイズ、普通厚、下地白の媒体が積載され、
カセット２には、普通紙、Ａ４サイズ、厚紙、下地白の媒体が積載され、
カセット３には、普通紙、Ａ４サイズ、普通厚、下地黄の媒体が積載され、
カセット４には、普通紙、Ａ３サイズ、普通厚、下地白の媒体が積載され、
カセット５には、再生紙、Ａ５サイズ、普通厚、下地白の媒体が積載されている。
【００４７】
図９（ｃ）は印刷装置１１のカセット情報である。印刷装置１１は５つの印刷媒体カセットを備えている。
カセット１には、普通紙、Ａ４サイズ、普通厚、下地白の媒体が積載され、
カセット２には、再生紙、Ａ４サイズ、厚紙、下地白の媒体が積載され、
カセット３には、再生紙、Ａ４サイズ、普通厚、下地黄の媒体が積載され、
カセット４には、普通紙、Ａ３サイズ、普通厚、下地白の媒体が積載され、
カセット５には、再生紙、Ａ５サイズ、普通厚、下地白の媒体が積載されている。
【００４８】
ステップ１４：所定時間を監視し、タイムアウトか否かを判断する。タイムアウトでなければステップ１２に進み印刷装置１０からの応答を待つ。
ステップ１５：制御部２１は所定時間たっても印刷装置１０から応答がない場合は印刷装置１０がエラー状態又は電源がオフされていると判断し、印刷装置１０からの応答が無い旨記憶し、ステップ１６に進む。
ステップ１６：ネットワーク５０に接続されている全印刷装置への問い合わせが終了したかを判断する。終了の判断はリストに格納されているＩＰアドレスに対し、すべて送信したかを判断する。全て終了していない場合はステップ１１に戻り次のＩＰアドレスに送信する。全て終了している場合にはステップ１７に進む。
【００４９】
ステップ１７：ネットワーク５０に接続されている印刷装置へのカセット情報を全て取得し終わった後に、ユーザへの選択画面を表示する。表示後、ステップ１８へ進みユーザの入力待ち状態となる。印刷装置から得られたカセット情報をそのまま表示するとユーザはどの印刷装置にどのような印刷媒体が格納されたカセットがあるか判断するのが容易ではなく、全ての情報を表示させて確認しなければならないためである。本発明はこのようなユーザの煩わしさをなくすために、抽出条件を入力してカセットの選択を容易にする。
【００５０】
図１０は本発明の第１の実施形態の選択画面を示す説明図である。図に示すように、選択画面にはカセット情報から取得した情報を選択番号とともに表示される。本実施の形態では選択情報として、媒体種類、媒体サイズ、媒体厚さ、媒体下地色が選択番号とともに表示される。選択方法については、キーボードから選択番号を入力してEnterキーを押下しても良いし、マウスにより情報種をクリックして“ＯＫ”をクリックするようにしても良い。この場合、マウスによりクリックした部分を網掛けおよび反転させるようにすればユーザで間違うことが無くなる。
【００５１】
ステップ１８、ステップ１９：キー入力があったか否かを判断する。キー入力があればステップ２０〜ステップ２２へ、キー入力がなければステップ１９にてタイムアウトを検出する。
ステップ１９：タイムアウトであればカセットの指定コマンドを標準指定として印刷装置へ印刷データとともに送信する。標準指定については予めユーザにより設定されているものとする。
ステップ２０〜ステップ２２：各ステップでどのキーが押されたかを判断する。“０１”であればステップ２３へ、“０２”であればステップ２４へ、“０３”であればステップ２５へ、“０４”であればステップ２６へ進む。
【００５２】
ステップ２３〜ステップ２６：抽出部３３は印刷装置から取得した情報を媒体種類を中心に編集を行う。これは、ユーザに単にカセット情報を表示するのでは、ユーザ自身が希望する印刷媒体がどこに格納されているか一見してわかりずらい。したがって、ユーザの希望する条件で編集し直して表示する。編集されたものに対して編集部３３は選択番号と対応して印刷装置とカセット番号を対応対応付けてテーブルに記憶しておく。
【００５３】
図１１は本発明の第１の実施形態の抽出画面の表示（その１）を示す図である。抽出部３３は選択されたキーが“０１”であるため、媒体種類を中心に編集し直している。図１１に示されているように、媒体種類が同じものをまとめ、その次に、媒体サイズ、媒体厚さ、媒体下地色となるように同じものでまとめるようにしてある。そして、各情報に選択番号と対応する印刷媒体が格納されている印刷装置とカセット番号が表示されている。ユーザは、例えば媒体種類が普通紙で、媒体サイズがＡ４、媒体厚さが普通で下地色が白い印刷媒体で印刷を行いたい場合は選択キー“１Ａ”を入力する。入力に関しては上記説明したようにキーボードを使用して入力するかマウスを使って入力する。また、ユーザが再生紙、Ａ４、厚さが普通で下地色が白い印刷媒体で印刷を行いたい場合は選択キー“７Ａ”を入力すればよい。
【００５４】
また、図１２は本発明の第１の実施形態の抽出画面の表示（その２）を示す図である。
抽出部３３は選択されたキーが“０２”であるため、媒体サイズを中心に編集し直している。図１２に示されているように、媒体サイズが同じものをまとめ、その次に、媒体種類、媒体厚さ、媒体下地色と同じものでまとめるようにしてある。そして、各情報に選択番号と対応する印刷媒体が格納されている印刷装置とカセット番号が表示されている。ユーザは、例えば、媒体サイズがＡ４で、媒体種類が普通紙、厚さが普通で下地色が白い印刷媒体で印刷を行いたい場合は選択キー“２Ｂ”を入力する。また、ユーザが媒体サイズＡ４で、再生紙、厚紙、下地白の印刷媒体に印刷を行いたい場合には、“９Ｂ”を入力すればよい。
同様に、ステップ２５、ステップ２６ではそれぞれ媒体厚さ、下地色を中心にまとめられる。まとめ方としては媒体種類、媒体サイズと同様であるため、抽出結果については詳細を省略する。
【００５５】
ステップ２８、ステップ２９：ユーザからのキー入力の有無を判断する。キー入力がなされない場合はタイムアウトを検出し、タイムアウトであればカセットの指定コマンドを標準指定として印刷装置へ印刷データとともに送信する。標準指定については予めユーザにより設定されているものとする。キー入力があった場合にはステップ３０に進む。
ステップ３０：選択番号に対応する印刷装置とカセット番号を取得する。例えば、図１１の場合において、選択番号が“１Ａ”の場合には、印刷装置１０のカセット１が情報として取得され、図１２の場合において、選択番号が“７Ｂ”の場合には、印刷装置１２のカセット１が情報として取得される。
ステップ３１：取得された印刷装置とカセット番号の情報により、カセットの指定コマンドを作成する。
ステップ３１：カセット指定コマンドおよび印刷データを対応するＩＰアドレスの印刷装置に送信し、処理を終了する。
【００５６】
以上のように、ユーザは印刷指示を行うとネットワーク５に接続されている印刷装置のカセット情報をユーザが指定した条件で表示させることができるので、ユーザが印刷を行いたい印刷媒体がどの印刷装置のどのカセットに挿入されているかが容易に判断することができる。また、選択番号を入力するだけで印刷装置およびカセットを指定することができる。
【００５７】
次に、印刷装置の処理について説明する。印刷装置１０〜印刷装置１２は同様な処理のために、代表して印刷装置１０について説明する。図８は本発明の第１の実施の形態における印刷装置の制御フローを示す。
ステップ３０：上位装置２０からＩ／Ｆ制御部１１０を介してコマンドが送信されたか否かを判断する。上位装置２０からコマンドが送信された場合にはステップ３１へ進み、コマンドが送信されない場合には待機状態としてコマンドが送信されるのを待つ。
ステップ３１：印刷制御部１００は上位装置２０から送信されたコマンドがカセット情報取得コマンドであるか判断し、カセット情報取得コマンドである場合には、カセット情報記憶部２２０に格納されているカセット情報を取得する。カセット情報取得コマンドで無い場合にはコマンドに対応する処理に移行する。ここではカセット情報取得に関することだけを説明する。
【００５８】
ステップ３２：印刷制御部１００はカセット情報取得コマンドを送信した上位装置２０に対して、カセット情報記憶部から取得したカセット情報をＩ／Ｆ制御部１１０を介して送信する。
送信するカセット情報は図９に示すように、カセット位置、媒体種類、媒体サイズ、媒体厚さ、媒体下地色の情報である。これらの情報は予め印刷装置１０の操作部１０１を使用してユーザが入力する。カセット情報については上記情報に限るものではなく、また、上記情報の一部であってもかまわない。
【００５９】
ステップ３３：カセット情報を送信したあと、上位装置２０からの印刷データの受信待ちになる。印刷データの受信があればステップ３４に進む。
ステップ３５：印刷データとともに送信されたカセット指定コマンドをＩ／Ｆ制御部１１０を介して印刷制御部１００に入力する。印刷制御部１００はカセット指定コマンドが指定しているカセットを判断し、カセット選択部２１０に指示を出す。カセット選択部２４０は指示されたカセットから印刷媒体を搬送するために搬送モータ制御部２３０に指示を出す。例えば、カセット指定コマンドによりカセット１が指定されていた場合には、カセット選択部２４０は搬送モータ制御部２３０に対して第１カセット搬送モータ２０５を駆動するように指示を出す。
【００６０】
搬送モータ制御部２３０はカセット選択部２１０の指示により第１カセット搬送モータ２０５を駆動する準備を行い、印刷制御部１００からの駆動タイミングを待つ。そして、診察制御部１００から駆動タイミングが入力されると第１カセット搬送モータ２０５を駆動し、第１カセットの印刷媒体を１枚繰り出して搬送する。以降の印刷媒体の搬送に関しては既に前述したとおりである。
【００６１】
ステップ３６：印刷動作を実行する。印刷動作に先立ちカセット情報により選択された媒体の転写電圧、定着温度が読み出される。媒体種類と転写電圧、定着温度との関係は図１３に示す。転写電圧の関係は、
Ｖ５＜＝Ｖ１＜Ｖ２＜Ｖ３＜＝Ｖ６
となるように予め実験等により設定されている。
また、定着温度の関係は、
Ｔ５＜＝Ｔ１＜Ｔ２＜Ｔ３＜＝Ｔ６
となるように予め実験等により設定されている。
【００６２】
ステップ３７：上位装置２０から受信した印刷データの印刷が全て終了していれば印刷処理を終了して待機状態に移行する。さらに、印刷すべきページがあればステップ３５に戻り印刷媒体の繰り出しおよび搬送から繰り返す。
以上説明したように、本願発明によれば、ユーザは印刷指示を行うだけで、ネットワーク５に接続されている印刷情報のカセット情報を容易に判断することができる。しかも、カセット情報はユーザが希望する条件により編集されて表示されるので、ユーザは一見して自分が印刷したい種類の印刷媒体がどの印刷装置のどのカセットにあるか容易に判断することができる。さらに、カセットの指定は選択画面による選択番号の指定だけでよく、容易に希望する印刷装置のカセットの印刷媒体への印刷が可能となる。
また、媒体の種類に対応つけて転写電圧、定着温度が選択されて印刷されるので媒体の種類に適した転写電圧、定着温度が設定さるので印刷品位を向上することができる。
【実施例２】
【００６３】
本発明の第２の実施の形態について説明する。
第１の実施の形態では、ユーザによって媒体種類、媒体サイズ、媒体厚さ、媒体下地色を指定するようにしている。そのため、ネットワーク５０に接続されている印刷装置が多数ある場合には多数の情報を表示画面で見て選択しなければならない。第２の実施の形態ではユーザが得たい情報をもっと絞り込んで表示させるようにしたものである。
第１の実施の形態と同じ構成については第１の実施の形態の説明を準用し、以下の説明は第１の実施の形態と異なる部分について説明する。
図１４は第２の実施の形態における選択画面の表示（その１）を示す図であり、図１５は第２の実施の形態の抽出画面を示す図であり、図１６は第２の実施の形態における選択画面の表示（その２）を示す図であり、図１７は第２の実施の形態における抽出画面を示す図である。
【００６４】
第１の実施の形態では、媒体種類、媒体サイズ、媒体厚さ、媒体下地色のひとつを選択するようにしたが第２の形態ではもっと下位の層の選択を可能とし、しかも、複数選択できるようにしている。
図１４は選択画面の表示を示したものであり、印刷装置から取得したカセット情報に基づきネットワーク５に接続されている印刷装置が有するカセット情報を選択番号を付与して表示している。ここに表示されている項目は各々の印刷装置の情報の全てを示している。図１４に示すようにユーザは普通紙でＡ４サイズに印刷を行いたい場合は、選択番号“０１”と“０５”を入力する。
抽出部３３は選択番号“０１”と“０５”が選択されたことを検出すると、選択番号と対応つけたリストから、ユーザの希望する印刷媒体は普通紙でＡ４サイズであると判断する。そして、カセット情報を参照して普通紙でＡ４サイズのカセットを検索して編集する。編集した結果は抽出画面に選択キーと対応付けて表示させる。
【００６５】
図１５は普通紙でＡ４サイズの印刷媒体が格納されているカセットを抽出して表示させたものである。即ち、普通紙でＡ４サイズの印刷媒体が格納されているカセットは４つあり、それを示している。また、普通紙でＡ４サイズであっても媒体厚さ、媒体下地色が異なるため、その情報も表示している。ユーザは表示された４つの選択キーを指定するだけで希望する印刷媒体に印刷することが可能となる。例えば普通紙、下地白の印刷媒体に印刷したい場合には選択キー“１Ｃ”を入力すればよい。
【００６６】
抽出部３３は、選択番号に対応する印刷装置とカセット番号を取得する。この場合、印刷装置１０のカセット１が取得される。そして、取得された印刷装置とカセット番号の情報により、カセット指定コマンドを作成する。カセット指定コマンドが作成されると、カセット指定コマンドおよび印刷データを対応する印刷装置のＩＰアドレスを取得して、ネットワーク５を介して送信する。
以降の処理は第１の実施形態と同様であるために省略する。
【００６７】
また、図１６、図１７は他の選択例を示したものである。
図１６は選択画面の表示を示したものであり、印刷装置から取得したカセット情報に基づきネットワーク５０に接続されている印刷装置が有するカセット情報を選択番号を付与して表示している。図１６に示すようにユーザは再生紙でＡ４サイズに印刷を行いたい場合は、選択番号“０２”と“０５”を入力する。
【００６８】
抽出部３３は選択番号“０２”と“０５”が選択されたことを検出すると、選択番号と対応付けたリストから、ユーザの希望する印刷媒体は再生紙でＡ４サイズであると判断する。そして、カセット情報を参照して再生紙でＡ４サイズのカセットを検索して編集する。編集した結果は抽出画面に選択キーと対応つけて表示させる。
【００６９】
図１７は再生紙でＡ４サイズの印刷媒体が格納されているカセットを抽出して表示させたものである。即ち、再生紙でＡ４サイズの印刷媒体が格納されているカセットは５つあり、それを示している。また、再生紙でＡ４サイズであっても媒体厚さ、媒体下地色が異なるため、その情報も表示している。ユーザは表示された５つの選択キーを指定するだけで希望する印刷媒体に印刷することが可能となる。例えば厚紙、下地白の印刷媒体に印刷したい場合には選択キー“４Ｄ”を入力すればよい。
【００７０】
抽出部３３は、選択番号に対応する印刷装置とカセット番号を取得する。この場合、印刷装置１２のカセット２が取得される。そして、取得された印刷装置とカセット番号の情報により、カセットしてコマンドを作成する。カセットしてコマンドが作成されると、カセット指定コマンドおよび印刷データを対応する印刷装置のＩＰアドレスを取得して、ネットワーク５を介して送信する。
【００７１】
なお、上記第１の実施の形態、第２の実施の形態は上位装置からカセット情報要求コマンドを送信して上位装置側の操作部で表示して選択する例を示したが、印刷装置の操作部のキー操作によって印刷装置の操作部に表示することもできる。この場合、ユーザは印刷装置とカセット番号を覚えておく必要があるが、従来のように媒体カセットを引き出して中にある媒体を確認する手間を省くことができる。さらに、媒体カセットを引き出しただけでは媒体サイズは容易にわかるが、媒体種類、媒体厚さ等は容易に判断することはできない。しかし、印刷装置の操作部に表示することにより、媒体種類、媒体厚さ等も容易に判断することができる。
【産業上の利用可能性】
【００７２】
本発明は媒体カセットを備えた装置であれば、印刷装置、ファクシミリ、ＭＦＰ等の画像記録装置に適用することができる。また、カラー機、モノクロ機のどちらにも適用することが可能である。
【図面の簡単な説明】
【００７３】
【図１】第１の実施の形態の印刷装置の制御ブロック図である。
【図２】第１の実施の形態の上位装置の制御ブロック図である。
【図３】第１の実施の形態の画像記録システムの概略構成図である。
【図４】第１の実施の形態におけるプリンタの概略図である。
【図５】第１の実施の形態におけるプロセスユニットの概略図である。
【図６】第１の実施の形態における上位装置の制御フロー（その１）を示す図である。
【図７】第１の実施の形態における上位装置の制御フロー（その２）を示す図である。
【図８】第１の実施の形態における印刷装置の制御フローを示す図である。
【図９】第１の実施の形態のプリンタ情報説明図である。
【図１０】第１の実施の形態の選択画面の表示を示す図である。
【図１１】第１の実施の形態における抽出画面の表示（その１）を示す図である。
【図１２】第１の実施の形態における抽出画面の表示（その２）を示す図である。
【図１３】第１の実施の形態における媒体と転写電圧、定着温度を示す図である。
【図１４】第２の実施の形態における他の選択画面の表示（その１）を示す図である。
【図１５】第２の実施の形態における他の抽出画面の表示（その１）を示す図である。
【図１６】第２の実施の形態における他の選択画面の表示（その２）を示す図である。
【図１７】第１の実施の形態における他の抽出画面の表示（その２）を示す図である。
【符号の説明】
【００７４】
１    記録媒体
１０  印刷装置
２０  上位装置
２１  制御部
２２  画像データ生成部
２３  画像データ記憶部
２４  印刷データ生成部
２６  インターフェース制御部
３０  カセット情報取得部
３１  カセット情報格納部
３２  入力表示部
３３  抽出部
４０  プリントサーバ
５０  ネットワーク
１００  印刷制御部
１０１  操作部
１０２  各種センサ
１１０  Ｉ／Ｆ制御部
１２０  受信メモリ
１３０  画データ編集メモリ
１４０  帯電電圧制御部
１５０  ヘッド駆動制御部
１６０  現像電圧制御部
１７０  転写電圧制御部
１８０  モータ制御部
１８５  モータ
１９０  定着制御部
１９５  定着ユニットモータ
【図１】
2006301118.tif 000003
【図２】
2006301118.tif 000004
【図３】
2006301118.tif 000005
【図４】
2006301118.tif 000006
【図５】
2006301118.tif 000007
【図６】
2006301118.tif 000008
【図７】
2006301118.tif 000009
【図８】
2006301118.tif 000010
【図９】
2006301118.tif 000011
【図１０】
2006301118.tif 000012
【図１１】
2006301118.tif 000013
【図１２】
2006301118.tif 000014
【図１３】
2006301118.tif 000015
【図１４】
2006301118.tif 000016
【図１５】
2006301118.tif 000017
【図１６】
2006301118.tif 000018
【図１７】
2006301118.tif 000019